(57)【要約】【課題】本発明の課題は、複数の患者の医用画像を表示させる場合に、視認性、操作性よく医用画像を表示することである。【解決手段】医用画像撮影システム１００において、撮影終了後、携帯端末１０は、撮影オーダ情報ファイル１６１に記憶した撮影オーダ情報及びカセッテＩＤを制御装置２０に送信し、制御装置２０は、撮影オーダ情報に対応付けて受信したカセッテＩＤを記憶する。また、制御装置２０は、医用画像読取装置３０から医用画像とカセッテＩＤを受信し、カセッテＩＤに基づいて撮影オーダ情報と医用画像との対応付けを行う。そして、制御装置２０は、同一の携帯端末１０から受信した複数の撮影オーダ情報に対応する医用画像を、複数の患者に跨って表示部２３に表示させる。【選択図】      図１
2004290319.tif 000002
【特許請求の範囲】
【請求項１】
撮影オーダ情報と医用画像とを対応付けて管理する制御装置と、撮影オーダ情報とカセッテの識別情報を対応付けて記憶する携帯端末と、医用画像が記録されたカセッテから医用画像とカセッテの識別情報とを読み取る医用画像読取装置と、がネットワークを介して接続された医用画像撮影システムであって、
前記携帯端末は、
前記撮影オーダ情報とカセッテの識別情報を対応付けて記憶する記憶手段と、
前記撮影オーダ情報とカセッテの識別情報を対応付けて送信する通信手段を備え、
前記医用画像読取装置は、
カセッテから読み取られた医用画像とカセッテの識別情報を対応付けて送信する通信手段を備え、
前記制御装置は、
前記撮影オーダ情報とカセッテの識別情報、及び医用画像とカセッテの識別情報を受信する通信手段と、
前記カセッテの識別情報に基づいて、撮影オーダ情報と医用画像を対応付けて記憶する記憶手段と、
同一の携帯端末から受信した撮影オーダ情報に対応する医用画像のうち少なくとも２以上を同一画面に表示させる表示制御手段と、
を備えることを特徴とする医用画像撮影システム。
【請求項２】
前記制御装置において、
前記通信手段は、複数の患者の撮影オーダ情報とカセッテの識別情報、及び複数の患者の医用画像とカセッテの識別情報を受信し、
前記記憶手段は、前記カセッテの識別情報に基づいて、複数の患者の撮影オーダ情報と医用画像を対応付けて記憶し、
前記表示制御手段は、同一の携帯端末から受信した複数の患者の撮影オーダ情報に対応する医用画像のうち少なくとも２以上を同一画面に表示させることを特徴とする請求項１記載の医用画像撮影システム。
【請求項３】
前記制御装置は、
撮影室で撮影された医用画像を表示する通常モード又は回診先で撮影された医用画像を表示するポータブルモードを設定するモード設定手段を備え、
前記表示制御手段は、前記モード設定手段により設定されたモードに応じて、医用画像の表示を行うことを特徴とする請求項１又は２記載の医用画像撮影システム。
【請求項４】
前記制御装置の前記表示制御手段は、通常モードにおいては、同一患者の医用画像を同一画面に表示させ、ポータブルモードにおいては、同一の携帯端末に記憶されていた撮影オーダ情報に対応する医用画像を同一画面に表示させることを特徴とする請求項３記載の医用画像撮影システム。
【請求項５】
前記携帯端末において、
前記記憶手段は、回診先での撮影に係る撮影オーダ情報とカセッテの識別情報を記憶し、
前記通信手段は、回診先での撮影に係る撮影オーダ情報とカセッテの識別情報を送信し、
前記制御装置において、
前記通信手段は、回診先での撮影に係る撮影オーダ情報とカセッテの識別情報を受信し、
前記モード設定手段は、前記通信手段により、回診先での撮影に係る撮影オーダ情報とカセッテの識別情報が受信された場合に、ポータブルモードを設定し、
前記表示制御手段は、ポータブルモードにて、前記医用画像を表示させることを特徴とする請求項３又は４記載の医用画像撮影システム。
【請求項６】
医用画像、カセッテの識別情報、撮影オーダ情報を対応付けて管理する制御装置と、撮影オーダ情報とカセッテの識別情報を対応付けて記憶する携帯端末と、医用画像が記録されたカセッテから医用画像とカセッテの識別情報とを読み取る医用画像読取装置と、がネットワークを介して接続された医用画像撮影システムであって、
前記携帯端末は、
前記撮影オーダ情報とカセッテの識別情報を対応付けて記憶する記憶手段と、
前記撮影オーダ情報とカセッテの識別情報を対応付けて送信する通信手段を備え、
前記医用画像読取装置は、
カセッテから読み取られた医用画像とカセッテの識別情報を対応付けて送信する通信手段を備え、
前記制御装置は、
前記撮影オーダ情報とカセッテの識別情報、及び医用画像とカセッテの識別情報を受信する通信手段と、
前記カセッテの識別情報に基づいて、撮影オーダ情報と医用画像を対応付けて記憶する記憶手段と、
撮影室で撮影された医用画像を表示する通常モード又は回診先で撮影された医用画像を表示するポータブルモードを設定するモード設定手段と、
前記通常モードにおいては、同一患者の医用画像を同一画面に表示させ、前記ポータブルモードにおいては、同一の携帯端末から受信した撮影オーダ情報に対応する医用画像のうち少なくとも２以上を同一画面に表示させる表示制御手段と、
を備えることを特徴とする医用画像撮影システム。
【請求項７】
前記制御装置において、
前記通信手段は、複数の撮影オーダ情報とカセッテの識別情報、及び複数の医用画像とカセッテの識別情報を受信し、
前記表示制御手段は、前記受信した複数の撮影オーダ情報に対応付けられる全ての医用画像を同一の表示画面に表示させることを特徴とする請求項６記載の医用画像撮影システム。
【請求項８】
前記制御装置において、
前記モード設定手段は、前記通信手段により、前記携帯端末から撮影オーダ情報とカセッテの識別情報を受信しない場合、通常モードを設定し、前記携帯端末から撮影オーダ情報とカセッテの識別情報を受信した場合、ポータブルモードを設定し、
前記表示制御手段は、前記モード設定手段により設定されたモードに応じて、医用画像の表示を行うことを特徴とする請求項６又は７記載の医用画像撮影システム。
【請求項９】
撮影オーダ情報と医用画像とを対応付けて管理する制御装置と、撮影オーダ情報とカセッテの識別情報を対応付けて記憶する携帯端末と、医用画像が記録されたカセッテから医用画像とカセッテの識別情報とを読み取る医用画像読取装置と、がネットワークを介して接続された医用画像撮影システムにおける医用画像表示方法であって、
前記撮影オーダ情報とカセッテの識別情報を対応付けて記憶する工程と、
前記撮影オーダ情報とカセッテの識別情報を対応付けて送信する工程と、
カセッテから読み取られた医用画像とカセッテの識別情報を対応付けて送信する工程と、
前記撮影オーダ情報及びカセッテの識別情報と、医用画像及びカセッテの識別情報とを受信する工程と、
前記カセッテの識別情報に基づいて、撮影オーダ情報と医用画像を対応付けて記憶する工程と、
同一の携帯端末から受信した撮影オーダ情報に対応する医用画像のうち少なくとも２以上を同一画面に表示させる工程と、
を含むことを特徴とする医用画像表示方法。
【請求項１０】
複数の患者の撮影オーダ情報及びカセッテの識別情報と、複数の患者の医用画像及びカセッテの識別情報を受信する工程と、
前記カセッテの識別情報に基づいて、複数の患者の撮影オーダ情報と医用画像を対応付けて記憶する工程と、
同一の携帯端末から受信した複数の患者の撮影オーダ情報に対応する医用画像のうち少なくとも２以上を同一画面に表示させる工程と、
を含むことを特徴とする請求項９記載の医用画像表示方法。
【請求項１１】
撮影室で撮影された医用画像を表示する通常モード又は回診先で撮影された医用画像を表示するポータブルモードを設定する工程と、
前記設定されたモードに応じて、表示画面を切り替えて医用画像の表示を行う工程と、
を含むことを特徴とする請求項９又は１０記載の医用画像表示方法。
【請求項１２】
前記通常モードにおいては、同一患者の医用画像を同一画面に表示させ、前記ポータブルモードにおいては、同一の携帯端末に記憶されていた撮影オーダ情報に対応する医用画像を同一画面に表示させることを特徴とする請求項１１記載の医用画像表示方法。
【請求項１３】
回診先での撮影に係る撮影オーダ情報とカセッテの識別情報を記憶する工程と、
回診先での撮影に係る撮影オーダ情報とカセッテの識別情報を送信する工程と、
回診先での撮影に係る撮影オーダ情報とカセッテの識別情報を受信する工程と、
回診先での撮影に係る撮影オーダ情報とカセッテの識別情報が受信された場合に、ポータブルモードを設定する工程と、
前記ポータブルモードにて、医用画像を表示させる工程と、
を含むことを特徴とする請求項１１又は１２記載の医用画像表示方法。
【請求項１４】
医用画像、カセッテの識別情報、撮影オーダ情報を対応付けて管理する制御装置と、撮影オーダ情報とカセッテの識別情報を対応付けて記憶する携帯端末と、医用画像が記録されたカセッテから医用画像とカセッテの識別情報とを読み取る医用画像読取装置と、がネットワークを介して接続された医用画像撮影システムにおける医用画像表示方法であって、
前記撮影オーダ情報とカセッテの識別情報を対応付けて記憶する工程と、
前記撮影オーダ情報とカセッテの識別情報を対応付けて送信する工程と、
カセッテから読み取られた医用画像とカセッテの識別情報を対応付けて送信する工程と、
前記撮影オーダ情報とカセッテの識別情報、及び医用画像とカセッテの識別情報を受信する工程と、
前記カセッテの識別情報に基づいて、撮影オーダ情報と医用画像を対応付けて記憶する工程と、
撮影室で撮影された医用画像を表示する通常モード又は回診先で撮影された医用画像を表示するポータブルモードを設定する工程と、
前記通常モードにおいては、同一患者の医用画像を同一画面に表示させ、前記ポータブルモードにおいては、同一の携帯端末から受信した撮影オーダ情報に対応する医用画像のうち少なくとも２以上を同一画面に表示させる工程と、
を含むことを特徴とする医用画像表示方法。
【請求項１５】
前記複数の撮影オーダ情報とカセッテの識別情報、及び複数の医用画像とカセッテの識別情報を受信する工程と、
前記受信した複数の撮影オーダ情報に対応付けられる全ての医用画像を同一の表示画面に表示させる工程と、
含むことを特徴とする請求項１４記載の医用画像表示方法。
【請求項１６】
前記撮影オーダ情報とカセッテの識別情報を受信しない場合、通常モードを設定し、前記撮影オーダ情報とカセッテの識別情報を受信した場合、ポータブルモードを設定する工程と、
前記設定されたモードに応じて、医用画像の表示を行う工程と、
含むことを特徴とする請求項１４又は１５記載の医用画像表示方法。
【発明の詳細な説明】
【０００１】
【発明の属する技術分野】
本発明は、医用画像撮影システム及び医用画像表示方法に関するものである。
【０００２】
【従来の技術】
医療の分野においては、例えば、コンピュータ断層画像撮影装置（以下、「ＣＴ（Ｃｏｍｐｕｔｅｄ  Ｔｏｍｏｇｒａｐｈｙ）」と記す）やコンピュータ放射線画像撮影装置（以下、「ＣＲ（Ｃｏｍｐｕｔｅｄ  Ｒａｄｉｏｇｒａｐｈｙ）」と記す）、核磁気共鳴イメージング装置（以下、「ＭＲＩ（Ｍａｇｎｅｔｉｃ  Ｒｅｓｏｎａｎｃｅ  Ｉｍａｇｉｎｇ）」と記す）等を備える医用画像撮影システムが利用されている。この医用画像撮影システムは、被験体である患者を撮影し、その撮影した医用画像をデジタル画像データとして取得するシステムである。
【０００３】
なかでも、放射線画像撮影装置は、支持体上に輝尽性蛍光体層を形成した医用画像変換パネルを使用するもので、この変換パネルの輝尽性蛍光体層に被写体を透過した放射線を吸収させ、被写体各部の放射線透過度に対応する放射線エネルギーを蓄積させて潜像を形成する。その後、この蛍光体層を赤外線等の輝尽励起光で走査することにより蓄積された放射線エネルギーを蛍光として放射させてその蛍光を光電変換し、医用画像信号を得るものである。このようにして取得された医用画像は画像処理を施された後にフィルム、或いはＣＲＴ等の出力装置に出力されて可視化されたり、サーバ等のファイリング装置に患者の情報とともに保存され、医療活動に利用されている。
【０００４】
このような放射線画像撮影装置を利用した医用画像撮影システムには、大きく分けて二つのシステム構成がとられる。一つは、画像の撮影及び読み取りを行う装置と、輝尽性蛍光体プレートとを撮影室、又は、撮影室近傍に設置し、撮影室にて撮影を行う従来の医用画像撮影システムである。このシステムにおいては、撮影室にて撮影と同時に画像の読み取りを行うことができる。
【０００５】
もう一つは、骨折や脳血管疾患等の患者や集中治療室にて管理中の患者等、撮影室にて撮影が行えない患者の為に、回診用の移動可能な撮影装置と、蛍光体プレートを内蔵した持ち運び可能なカセッテとを利用して、回診先において撮影を行う医用画像撮影システムである（例えば、特許文献１参照）。このシステムにおいては、撮影後にカセッテ専用の読取装置にカセッテを挿入し、撮影した画像の読み取りを行う。
【０００６】
上述した医用画像システムにおいて撮影された医用画像は、医用画像読取装置により読み取られ、撮影オーダ情報と対応付けられて制御装置に記憶される。この撮影オーダ情報には、撮影する患者の氏名や性別等の患者に関する情報（以下、「患者情報」と記す）や、撮影部位や撮影方法等の撮影に関する情報（以下、「撮影情報」と記す）が含まれ、どの患者に対して、どのような撮影を行うかといった指示が示されている。そして、制御装置の表示部に読み取られた医用画像が撮影オーダ情報と対応付けられて表示され、制御装置において診断に好適な画像処理が施される。図１４を参照して、従来の画像処理画面について説明する。
【０００７】
図１４に示すように、画像処理画面２３６には、一患者毎に撮影された複数の医用画像が同一画面内に表示される構成となっている。すなわち、通常処理画面２３６には、一患者分の患者情報を表示する領域と、一患者に対して撮影された複数の医用画像を表示する領域と、各医用画像に対応する撮影情報を表示する領域が設けられ、同一画面には、４種類の医用画像が表示可能な構成となっている。具体的に、画面上部の患者情報を表示する領域には、患者ＩＤ、氏名、性別、生年月日を表示する項目が設けられ、各項目には対応するデータが表示されている。画面中央部の医用画像を表示する領域には、医用画像を表示する領域と、撮影装置の識別情報、解像度を表示する項目が設けられている。また、その下部の撮影情報を表示する領域には、撮影部位、カセッテＩＤを表示する項目が設けられている。
【０００８】
【特許文献１】
特開２０００−１３９８８８号公報
【０００９】
【発明が解決しようとする課題】
ところで、従来の医用画像撮影システムにおいて、撮影室にて行われる撮影は患者毎に行われ、一患者の撮影が終了する毎に、医用画像を取得してモニタ等に表示させていた。したがって、画像処理画面においては、患者毎に複数枚の医用画像をモニタに表示する構成が画像処理を行う上で好適であった。しかしながら、移動可能な撮影装置を利用して、回診先で医用画像の撮影を行う場合、業務効率を向上させるため、一度の回診で複数の患者の撮影を行う場合が多い。したがって、上述したように、患者毎に撮影した医用画像を表示する場合、複数の患者についてそれぞれ医用画像を表示させる必要があり、患者数が多くなるにつれ、作業が煩雑で操作性が悪いという問題があった。
【００１０】
本発明の課題は、複数の患者の医用画像を表示させる場合に、視認性、操作性よく医用画像を表示する医用画像撮影システム及び医用画像表示方法を提供することである。
【００１１】
【課題を解決するための手段】
上記課題を解決するために、請求項１記載の発明は、
撮影オーダ情報と医用画像とを対応付けて管理する制御装置と、撮影オーダ情報とカセッテの識別情報を対応付けて記憶する携帯端末と、医用画像が記録されたカセッテから医用画像とカセッテの識別情報とを読み取る医用画像読取装置と、がネットワークを介して接続された医用画像撮影システムであって、
前記携帯端末は、
前記撮影オーダ情報とカセッテの識別情報を対応付けて記憶する記憶手段と、
前記撮影オーダ情報とカセッテの識別情報を対応付けて送信する通信手段を備え、
前記医用画像読取装置は、
カセッテから読み取られた医用画像とカセッテの識別情報を対応付けて送信する通信手段を備え、
前記制御装置は、
前記撮影オーダ情報とカセッテの識別情報、及び医用画像とカセッテの識別情報を受信する通信手段と、
前記カセッテの識別情報に基づいて、撮影オーダ情報と医用画像を対応付けて記憶する記憶手段と、
同一の携帯端末から受信した撮影オーダ情報に対応する医用画像のうち少なくとも２以上を同一画面に表示させる表示制御手段と、
を備えることを特徴とする。
【００１２】
したがって、同一の携帯端末に記憶された撮影オーダ情報に対応する医用画像が同一画面に表示されるため、例えば、携帯端末を利用して回診先で医用画像の撮影を行った場合に、同一の回診で撮影された医用画像を同一画面に表示させることができる。これにより、技師は、撮影を行った医用画像の画像処理を速やかに行うことができる。
【００１３】
請求項２記載の発明は、請求項１記載の医用画像撮影システムにおいて、
前記制御装置において、
前記通信手段は、複数の患者の撮影オーダ情報とカセッテの識別情報、及び複数の患者の医用画像とカセッテの識別情報を受信し、
前記記憶手段は、前記カセッテの識別情報に基づいて、複数の患者の撮影オーダ情報と医用画像を対応付けて記憶し、
前記表示制御手段は、同一の携帯端末から受信した複数の患者の撮影オーダ情報に対応する医用画像のうち少なくとも２以上を同一画面に表示させることを特徴とする。
【００１４】
したがって、回診先において、複数の患者に跨って撮影を行った場合であっても、複数の患者に跨って、医用画像を同一画面に表示させることができるため、複数の患者毎に医用画像を表示させる手間を必要とせず、処理効率を向上させることができる。
【００１５】
請求項３記載の発明は、請求項１又は２記載の医用画像撮影システムにおいて、
前記制御装置は、
撮影室で撮影された医用画像を表示する通常モード又は回診先で撮影された医用画像を表示するポータブルモードを設定するモード設定手段を備え、
前記表示制御手段は、前記モード設定手段により設定されたモードに応じて、医用画像の表示を行うことを特徴とする。
【００１６】
したがって、撮影形態に応じて好適な表示態様により、医用画像を表示させることができるため、業務効率を向上させることができる。
【００１７】
請求項４記載の発明は、請求項３記載の医用画像撮影システムにおいて、
前記制御装置の前記表示制御手段は、通常モードにおいては、同一患者の医用画像を同一画面に表示させ、ポータブルモードにおいては、同一の携帯端末に記憶されていた撮影オーダ情報に対応する医用画像を同一画面に表示させることを特徴とする。
【００１８】
したがって、例えば、通常の撮影室で撮影が行われる場合、患者毎に撮影を行い、患者毎に医用画像を同一画面に表示させることができる。このため、同一患者について相対的に医用画像を比較して画像処理を行うことができ、利便性が良い。また、例えば、回診先で撮影が行われる場合、同一の回診において利用された携帯端末に記憶されている撮影オーダ情報に対応する医用画像を、複数の患者に跨って同一画面に表示させることができるため、操作性が良い。さらに、医用画像の表示形態に応じて、撮影形態を認識することができるため、技師は、表示されている医用画像が撮影室において撮影されたものか、回診先において撮影されたものかを明確に認識しながら画像処理の操作を行うことができ、操作性がよい。
【００１９】
請求項５記載の発明は、請求項３又は４記載の医用画像撮影システムにおいて、
前記携帯端末において、
前記記憶手段は、回診先での撮影に係る撮影オーダ情報とカセッテの識別情報を記憶し、
前記通信手段は、回診先での撮影に係る撮影オーダ情報とカセッテの識別情報を送信し、
前記制御装置において、
前記通信手段は、回診先での撮影に係る撮影オーダ情報とカセッテの識別情報を受信し、
前記モード設定手段は、前記通信手段により、回診先での撮影に係る撮影オーダ情報とカセッテの識別情報が受信された場合に、ポータブルモードを設定し、前記表示制御手段は、ポータブルモードにて、前記医用画像を表示させることを特徴とする。
【００２０】
したがって、携帯端末から撮影オーダ情報とカセッテの識別情報を受信すると、制御装置は、ポータブルモードを設定して、ポータブルモードに応じた表示態様により、医用画像の表示を行う。これにより、技師は、モードの設定を行う手間が省け、撮影形態に応じた好適な態様にて医用画像を表示させることができるため、利便性が良い。
【００２１】
請求項６記載の発明は、
医用画像、カセッテの識別情報、撮影オーダ情報を対応付けて管理する制御装置と、撮影オーダ情報とカセッテの識別情報を対応付けて記憶する携帯端末と、医用画像が記録されたカセッテから医用画像とカセッテの識別情報とを読み取る医用画像読取装置と、がネットワークを介して接続された医用画像撮影システムであって、
前記携帯端末は、
前記撮影オーダ情報とカセッテの識別情報を対応付けて記憶する記憶手段と、前記撮影オーダ情報とカセッテの識別情報を対応付けて送信する通信手段を備え、
前記医用画像読取装置は、
カセッテから読み取られた医用画像とカセッテの識別情報を対応付けて送信する通信手段を備え、
前記制御装置は、
前記撮影オーダ情報とカセッテの識別情報、及び医用画像とカセッテの識別情報を受信する通信手段と、
前記カセッテの識別情報に基づいて、撮影オーダ情報と医用画像を対応付けて記憶する記憶手段と、
撮影室で撮影された医用画像を表示する通常モード又は回診先で撮影された医用画像を表示するポータブルモードを設定するモード設定手段と、
前記通常モードにおいては、同一患者の医用画像を同一画面に表示させ、前記ポータブルモードにおいては、同一の携帯端末から受信した撮影オーダ情報に対応する医用画像のうち少なくとも２以上を同一画面に表示させる表示制御手段と、
を備えることを特徴とする。
【００２２】
したがって、医用画像の表示形態に応じて、撮影形態を認識することができるため、技師は、表示されている医用画像が撮影室において撮影されたものか、回診先において撮影されたものかを明確に認識しながら画像処理の操作を行うことができ、操作性がよい。
【００２３】
請求項７記載の発明は、請求項６記載の医用画像撮影システムにおいて、
前記制御装置において、
前記通信手段は、複数の撮影オーダ情報とカセッテの識別情報、及び複数の医用画像とカセッテの識別情報を受信し、
前記表示制御手段は、前記受信した複数の撮影オーダ情報に対応付けられる全ての医用画像を同一の表示画面に表示させることを特徴とする。
【００２４】
したがって、回診先において撮影された全ての医用画像を同時に確認することできるため、医用画像の見落とし、撮影オーダ情報の受信ミス、撮影忘れ等を防止することができる。
【００２５】
請求項８記載の発明は、請求項６又は７記載の医用画像撮影システムにおいて、
前記制御装置において、
前記モード設定手段は、前記通信手段により、前記携帯端末から撮影オーダ情報とカセッテの識別情報を受信しない場合、通常モードを設定し、前記携帯端末から撮影オーダ情報とカセッテの識別情報を受信した場合、ポータブルモードを設定し、
前記表示制御手段は、前記モード設定手段により設定されたモードに応じて、医用画像の表示を行うことを特徴とする。
【００２６】
したがって、携帯端末からの撮影オーダ情報の受信の有無に応じて、モード設定手段により、好適なモードが設定されるため、技師は、モードを設定する手間が省け、容易かつ速やかに医用画像を表示させることができる。
【００２７】
請求項９記載の発明は、
撮影オーダ情報と医用画像とを対応付けて管理する制御装置と、撮影オーダ情報とカセッテの識別情報を対応付けて記憶する携帯端末と、医用画像が記録されたカセッテから医用画像とカセッテの識別情報とを読み取る医用画像読取装置と、がネットワークを介して接続された医用画像撮影システムにおける医用画像表示方法であって、
前記撮影オーダ情報とカセッテの識別情報を対応付けて記憶する工程と、
前記撮影オーダ情報とカセッテの識別情報を対応付けて送信する工程と、
カセッテから読み取られた医用画像とカセッテの識別情報を対応付けて送信する工程と、
前記撮影オーダ情報及びカセッテの識別情報と、医用画像及びカセッテの識別情報とを受信する工程と、
前記カセッテの識別情報に基づいて、撮影オーダ情報と医用画像を対応付けて記憶する工程と、
同一の携帯端末から受信した撮影オーダ情報に対応する医用画像のうち少なくとも２以上を同一画面に表示させる工程と、
を含むことを特徴とする。
【００２８】
請求項１０記載の発明は、請求項９記載の医用画像表示方法において、
複数の患者の撮影オーダ情報及びカセッテの識別情報と、複数の患者の医用画像及びカセッテの識別情報を受信する工程と、
前記カセッテの識別情報に基づいて、複数の患者の撮影オーダ情報と医用画像を対応付けて記憶する工程と、
同一の携帯端末から受信した複数の患者の撮影オーダ情報に対応する医用画像のうち少なくとも２以上を同一画面に表示させる工程と、
を含むことを特徴とする。
【００２９】
請求項１１記載の発明は、請求項９又は１０記載の医用画像表示方法において、
撮影室で撮影された医用画像を表示する通常モード又は回診先で撮影された医用画像を表示するポータブルモードを設定する工程と、
前記設定されたモードに応じて、表示画面を切り替えて医用画像の表示を行う工程と、
を含むことを特徴とする。
【００３０】
請求項１２記載の発明は、請求項１１記載の医用画像表示方法において、
前記通常モードにおいては、同一患者の医用画像を同一画面に表示させ、前記ポータブルモードにおいては、同一の携帯端末に記憶されていた撮影オーダ情報に対応する医用画像を同一画面に表示させることを特徴とする。
【００３１】
請求項１３記載の発明は、請求項１１又は１２記載の医用画像表示方法において、
回診先での撮影に係る撮影オーダ情報とカセッテの識別情報を記憶する工程と、
回診先での撮影に係る撮影オーダ情報とカセッテの識別情報を送信する工程と、
回診先での撮影に係る撮影オーダ情報とカセッテの識別情報を受信する工程と、
回診先での撮影に係る撮影オーダ情報とカセッテの識別情報が受信された場合に、ポータブルモードを設定する工程と、
前記ポータブルモードにて、医用画像を表示させる工程と、
を含むことを特徴とする。
【００３２】
請求項１４記載の発明は、
医用画像、カセッテの識別情報、撮影オーダ情報を対応付けて管理する制御装置と、撮影オーダ情報とカセッテの識別情報を対応付けて記憶する携帯端末と、医用画像が記録されたカセッテから医用画像とカセッテの識別情報とを読み取る医用画像読取装置と、がネットワークを介して接続された医用画像撮影システムにおける医用画像表示方法であって、
前記撮影オーダ情報とカセッテの識別情報を対応付けて記憶する工程と、
前記撮影オーダ情報とカセッテの識別情報を対応付けて送信する工程と、
カセッテから読み取られた医用画像とカセッテの識別情報を対応付けて送信する工程と、
前記撮影オーダ情報とカセッテの識別情報、及び医用画像とカセッテの識別情報を受信する工程と、
前記カセッテの識別情報に基づいて、撮影オーダ情報と医用画像を対応付けて記憶する工程と、
撮影室で撮影された医用画像を表示する通常モード又は回診先で撮影された医用画像を表示するポータブルモードを設定する工程と、
前記通常モードにおいては、同一患者の医用画像を同一画面に表示させ、前記ポータブルモードにおいては、同一の携帯端末から受信した撮影オーダ情報に対応する医用画像のうち少なくとも２以上を同一画面に表示させる工程と、
を含むことを特徴とする。
【００３３】
請求項１５記載の発明は、請求項１４記載の医用画像表示方法において、
前記複数の撮影オーダ情報とカセッテの識別情報、及び複数の医用画像とカセッテの識別情報を受信する工程と、
前記受信した複数の撮影オーダ情報に対応付けられる全ての医用画像を同一の表示画面に表示させる工程と、
含むことを特徴とする。
【００３４】
請求項１６記載の発明は、請求項１４又は１５記載の医用画像表示方法において、
前記撮影オーダ情報とカセッテの識別情報を受信しない場合、通常モードを設定し、前記複数の撮影オーダ情報とカセッテの識別情報を受信した場合、ポータブルモードを設定する工程と、
前記設定されたモードに応じて、医用画像の表示を行う工程と、
含むことを特徴とする。
【００３５】
【発明の実施の形態】
以下、図を参照して本発明の実施の形態を詳細に説明する。ただし、発明の範囲は、図示例に限定されない。なお、以下では、本発明に特徴的な実施の形態の一例として、持ち運び可能な携帯端末と、移動可能な撮影装置とを利用した、回診先にて撮影を行う医用画像撮影システムについて説明を行う。
【００３６】
まず、本実施の形態の構成を説明する。
図１は、本発明に係る医用画像撮影システム１００のシステム構成を示す概念図である。図１に示すように、医用画像撮影システム１は、携帯端末１０、通信端末１０−１、制御装置２０、医用画像読取装置３０、ポータブル撮影装置４０、カセッテ５０、情報管理装置６０等から構成されている。また、通信端末１０−１、制御装置２０、医用画像読取装置３０及び情報管理装置６０は、ネットワークＮを介して接続されており、携帯端末１０は、通信端末１０−１を介してネットワークＮに接続可能な構成となっている。
【００３７】
携帯端末１０は、ポータブル撮影装置４０を操作する技師等が携帯する携帯型情報端末装置であり、後述する通信端末１０−１を介して制御装置２０と通信を行う。また、携帯端末１０は、制御装置２０から撮影オーダ情報を取得して表示するが、複数患者の撮影オーダがある場合、撮影オーダ情報の中から所望の患者ＩＤに対応する撮影オーダ情報を検索して表示する。
【００３８】
通信端末１０−１は、ケーブル等を介して制御装置２０と接続され、通信端末１０−１に装着された携帯端末１０と制御装置２０との間でデータの送受信を制御する。この際、通信端末１０−１は、携帯端末１０の装着を検出すると、検出信号を制御装置２０に送信する。また、通信端末１０−１は、装着された携帯端末１０の充電を行う。
【００３９】
制御装置２０は、情報管理装置６０から撮影オーダ情報を受信し、受信した撮影オーダ情報を通信端末１０−１を介して携帯端末１０に送信する。また、制御装置２０は、撮影終了後、携帯端末１０から撮影オーダ情報に対応付けられたカセッテ５０の識別情報を受信し、カセッテ５０の識別情報に基づいて撮影オーダ情報と医用画像との対応付けを行い、医用画像を管理する。さらに、カセッテ５０の識別情報と撮影オーダ情報との対応付けを情報管理装置６０に送信する。
【００４０】
また、制御装置２０は、通常の撮影室にて医用画像の撮影が行われる場合、医用画像読取装置から読み取られた医用画像及びカセッテＩＤを受信して、撮影オーダ情報と、医用画像及びカセッテＩＤとの対応付けを行う。
【００４１】
医用画像読取装置３０は、カセッテ５０に記録された医用画像を読み取る医用画像読取装置である。医用画像読取装置３０は、カセッテ５０の輝尽性蛍光体シートに励起光を照射し、これによりシートから発光される輝尽光を光電変換し、得られた画像信号をＡ／Ｄ変換して、医用画像を取得する。また、医用画像読取装置３０は、カセッテ５０に付帯するカセッテの識別情報を読み取り、医用画像及び医用画像に対応するカセッテの識別情報を制御装置２０に送信する。
【００４２】
ポータブル撮影装置４０は、移動可能な医用画像撮影装置であり、回診先において患者の撮影を行い、装置本体に着脱可能なカセッテ５０に医用画像を記録する。カセッテ５０は、放射線エネルギーの一部を蓄積する輝尽性蛍光体シートを内蔵しており、放射線源から照射され、照射線源とカセッテとの間に配置される被験体を通過した照射エネルギーの一部を上記輝尽性蛍光体シートに蓄積する。
【００４３】
情報管理装置６０は、医師から指示された撮影オーダ情報を一括して管理する端末であり、制御装置２０からの要求指示に応じて、撮影オーダ情報を抽出し、制御装置２０に抽出した撮影オーダ情報を送信する。なお、他の情報管理装置として、撮影オーダ情報の予約受付を行う受付装置（図示せず）を適用しても良く、ＨＩＳ（Ｈｏｓｐｉｔａｌ  Ｉｎｆｏｒｍａｔｉｏｎ  Ｓｙｓｔｅｍ）やＲＩＳ（Ｒａｄｉｏｌｏｇｙ  Ｉｎｆｏｒｍａｔｉｏｎ  Ｓｙｓｔｅｍ）等の情報管理システムを適用することとしてもよい。
【００４４】
ネットワークＮは、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）、インターネット等の様々な回線形態を適用可能である。なお、病院等の医療機関内で許可されるのであれば、無線通信や赤外線通信であってもよいが、撮影オーダ情報を送受信する際には重要な患者情報を含むため、撮影オーダ情報は暗号化することが好ましい。
【００４５】
次に、本発明において主要な構成要素となる各装置について詳細に説明する。図２は、携帯端末１０の機能的構成を示すブロック図である。図２に示すように、携帯端末１０は、ＣＰＵ１１、操作部１２、表示部１３、通信手段としてのＩ／Ｆ１４、ＲＡＭ１５、記憶手段としての記憶装置１６、取得手段としてのバーコードリーダ１７等から構成され、各部はバス１８により接続されている。
【００４６】
ＣＰＵ（Ｃｅｎｔｒａｌ  Ｐｒｏｃｅｓｓｉｎｇ  Ｕｎｉｔ）１１は、記憶部１６に格納されているシステムプログラム及び各種アプリケーションプログラムの中から指定されたプログラムをＲＡＭ１５に展開し、当該プログラムに従って携帯端末１０の各部を集中制御する。
【００４７】
具体的にＣＰＵ１１は、記憶装置１６から撮影準備処理処理プログラム、撮影開始処理プログラム、撮影終了後処理プログラムを読み出して、後述する撮影準備処理（図５（ｂ）参照）、撮影開始処理（図９参照）、撮影終了後処理（図１１参照）を実行する。なお、各処理の詳細については後述する。
【００４８】
操作部１２は、カーソルキー、数字キー、各種機能キー、ジョグダイアルキー等を備えて構成され、撮影者により操作された押下されたキーに対応する押下信号をＣＰＵ１１に出力する。なお、操作部１２は、必要に応じてタッチパネル等のポインティングデバイスや、その他の入力装置を備えるものとしてもよい。
【００４９】
表示部１３は、ＬＣＤ（Ｌｉｑｕｉｄ  Ｃｒｙｓｔａｌ  Ｄｉｓｐｌａｙ）等による表示ディスプレイを備えた表示手段であり、ＣＰＵ１１からの表示指示に基づいて撮影オーダ情報、患者ＩＤ等の各種情報を表示する。
【００５０】
Ｉ／Ｆ１４は、携帯端末１０と通信端末１０−１とを接続するためのインターフェースであり、携帯端末１０が通信端末１０−１に装着されると、検出信号をＣＰＵ１１に出力する。また、Ｉ／Ｆ１４は、通信端末１０−１を介して、携帯端末１０と制御装置２０との間で、データの転送速度の調整や、データ形式の変換を行い、両者間のデータのやりとりを仲介する。
【００５１】
例えば、Ｉ／Ｆ１４は、制御装置２０から撮影オーダ情報を受信するとともに、撮影終了後の携帯端末１０からカセッテ５０の識別情報と対応付けられた撮影オーダ情報を取得して、制御装置２０に送信する。なお、Ｉ／Ｆ１４は、必要に応じてＰＨＳ等の携帯電話端末を接続し、無線通信を確立してデータの送受信を行う構成であってもよい。
【００５２】
ＲＡＭ（Ｒａｎｄｏｍ  Ａｃｃｅｓｓ  Ｍｅｍｏｒｙ）１５は、前述の指定されたアプリケーションプログラム、入力指示、入力データ及び処理結果等を格納するワークメモリエリアを有する。
【００５３】
記憶装置１６は、プログラムやデータが予め記憶されている記憶媒体（図示せず）を有しており、この記憶媒体は、システムプログラム、当該システムプログラムに対応する各種アプリケーションプログラム及び各種処理プログラムで処理されたデータ等を記憶する。また、この記憶媒体は磁気的、光学的記憶媒体又は半導体メモリで構成され、記憶装置１６に固定的に設けられるもの又は着脱自在に装着するものである。
【００５４】
また、記憶装置１６は、制御装置２０から受信した撮影オーダ情報を格納するための撮影オーダ情報ファイル１６１を記憶している。図３を参照して撮影オーダ情報ファイル１６１について説明する。図３は、撮影オーダ情報ファイル１６１のデータ構成例を示す図である。図３に示すように、撮影オーダ情報ファイル１６１は、撮影ＩＤ、患者ＩＤ、氏名、性別、年齢、病室、依頼科、撮影部位、撮影装置、撮影枚数、カセッテ５０の識別情報（以下、「カセッテＩＤ」と記す）を格納するための項目を有し、撮影オーダ情報毎に各項目に対応するデータを格納する。
【００５５】
撮影ＩＤの項目には、撮影を特定するために一義的に割り当てられた識別コード（例えば、２００２０１０１００１、２００２０１０１００２、２００２０１０１００３、…）が格納される。患者ＩＤの項目には、撮影を受ける患者を特定するために一義的に割り当てられた識別コード（例えば、１００００００２、１０００００５、…）が格納される。氏名の項目には、撮影対象となる患者の名前を示す文字情報が格納され、性別の項目には、撮影対象となる患者の性別を示す文字情報が格納される。年齢の項目には、撮影対象となる患者の年齢が数字情報により格納され、病室の項目には、撮影場所となる病室を示す文字情報が格納される。
【００５６】
依頼科の項目には、撮影を依頼した依頼科を示す文字情報が格納され、撮影部位の項目には、撮影部位を示す情報（例えば、頭蓋骨Ａ→Ｐ、頭蓋骨Ｐ→Ａ、胸部Ｐ→Ａ、…）が格納される。撮影装置の項目には、撮影に使用する撮影装置の機種を示す文字情報が格納され、枚数の項目には、撮影する枚数が数字情報により格納される。カセッテＩＤの項目には、撮影を行ったカセッテを特定するために一義的に割り当てられたカセッテＩＤ（例えば、カセッテ５０に付されたバーコード等から読み取られる情報）が格納される。なお、撮影準備段階においてカセッテＩＤのデータは格納されておらず、ベッドサイドでの撮影時にバーコードリーダ１７により読み取られたカセッテＩＤが格納される構成となっている。
【００５７】
また、撮影オーダ情報には、患者情報として患者ＩＤ、氏名、性別、年齢の他、例えば、担当医師名、感染症等を警告する警告情報、薬物アレルギーの有無、妊娠の有無、追加病歴、車椅子や担架等の特別な介護の必要性、臨床診断名、守秘事項等の各種患者情報が格納される構成であっても良い。また、撮影情報として撮影部位、撮影装置、枚数の他、例えば、撮影方法（単純撮影、造影撮影等）、撮影予定日等の各種撮影情報が格納される構成であっても良い。
【００５８】
バーコードリーダ１７は、カセッテＩＤを取得するための取得手段の一例であり、光学的な読み取り装置であるスキャナを有している。バーコードリーダ１７は、スキャナにてバーコードを読み取り、所定の規格に従ってデコードすることにより、バーコードが示す情報を取得する。例えば、バーコードリーダ１７は、撮影を行う際に医用画像を記録するカセッテ５０に付帯されたバーコードを読み取り、カセッテＩＤを取得する。また、バーコードリーダ１７は、患者のベッドサイド又は患者の身体の一部に付帯されたバーコードを読み取り、患者ＩＤの認証を行った後、当該患者の撮影オーダ情報に対応するカセッテＩＤの対応付けが可能になるように構成してもよい。なお、所定の規格とは、ＪＡＮコード、ＵＰＣコード、ＣＯＤＥ３９、ＣＤＥ９３、ＣＯＤＥ１２８、ＮＷ−７、ＩＮＤＵＳＴＲＩＡＬ  ２ｏｆ５、ＩＴＦ物流コード等である。
【００５９】
図４は、制御装置２０の機能的構成を示すブロック図である。図４に示すように、制御装置２０は、ＣＰＵ２１、入力部２２、表示部２３、通信制御部２４、ＲＡＭ２５、記憶装置２６、Ｉ／Ｆ２７等を備えて構成され、各部はバス２８により接続されている。
【００６０】
ＣＰＵ２１は、記憶装置２６に記憶されているシステムプログラムや各種制御プログラムを読み出し、ＲＡＭ２５に展開し、該制御プログラムに従って各部の動作を集中制御する。また、ＣＰＵ２１は、ＲＡＭ２５に展開したプログラムに従って各種処理を実行し、その処理結果をＲＡＭ２５に一時記憶させるとともに、表示部２３に表示させる。
【００６１】
具体的に、ＣＰＵ２１は、記憶装置２６から撮影準備処理プログラム、撮影終了後処理プログラムを読み出して、後述する撮影準備処理（図５（ｂ）参照）、撮影終了後処理（図７（ａ）参照）を実行する。
【００６２】
入力部２２は、カーソルキー、数字入力キー、及び各種機能キー等を備えたキーボードを含み、このキーボードで押下されたキーに対応する押下信号をＣＰＵ２１に出力する。なお、入力部２２は、必要に応じてマウス、タッチパネル等のポインティングデバイスや、その他の入力装置を備えることとしてもよい。
【００６３】
表示部２３は、ＬＣＤやＣＲＴ（Ｃａｔｈｏｄｅ  Ｒａｙ  Ｔｕｂｅ）等により構成され、ＣＰＵ２１から入力される表示信号の指示に従って、入力部２２からの入力指示やデータ等を表示する。
【００６４】
通信制御部２４は、ＬＡＮアダプタやルータやＴＡ（Ｔｅｒｍｉｎａｌ  Ａｄａｐｔｅｒ）等によって構成され、専用線、或いはＩＳＤＮ回線等の通信回線を介してネットワークＮに接続された各装置との間の通信を制御する。
【００６５】
ＲＡＭ２５は、ＣＰＵ１１により実行制御される各種処理において、記憶部装置２６から読み出されたＣＰＵ２１で実行可能なシステムプログラム、制御プログラム、入力若しくは出力データ、及びパラメータ等の一時的に記憶する記憶領域を形成する。
【００６６】
記憶装置２６は、ＨＤＤ（Ｈａｒｄ  Ｄｉｓｃ  Ｄｒｉｖｅ）や不揮発性の半導体メモリ等により構成され、ＣＰＵ２１で実行されるシステムプログラム、当該システムプログラムに対応する各種処理プログラム、及び処理結果等を記憶する。また、プログラムやデータが予め記憶された記録媒体（図示省略）を有しており、この記録媒体は、磁気的、光学的記録媒体、もしくは半導体メモリで構成され、記憶装置２６に固定的、或いは着脱自在に装着するものである。これらの各種プログラムは、読取可能なプログラムコードの形態で格納され、ＣＰＵ２１は、当該プログラムコードに従った動作を逐次実行する。
【００６７】
Ｉ／Ｆ２７は、制御装置２０と通信端末１０−１とを接続するためのインターフェースであり、携帯端末１０が通信端末１０−１に装着されたことを検出すると、検出信号をＣＰＵ１１にする。また、Ｉ／Ｆ２７は、通信端末１０−１を介して、制御装置２０と携帯端末１０との間で、データの転送速度の調整や、データ形式の変換を行い、両者間のデータのやりとりを仲介する。例えば、Ｉ／Ｆ２７は、撮影開始前の携帯端末１０に撮影オーダ情報を送信するとともに、撮影終了後の携帯端末１０から撮影オーダ情報と対応付けられたカセッテＩＤを受信する。
【００６８】
次に、本実施の形態の動作を説明する。
なお、後述するフローチャートに記述されている各機能を実現するためのプログラムはコンピュータが読み取り可能なプログラムコードの形態で携帯端末１０の記憶装置１６又は制御装置２０の記憶装置２６に格納されており、携帯端末１０のＣＰＵ１１又は制御装置２０のＣＰＵ２１は、当該プログラムコードに従った動作を逐次実行する。
【００６９】
まず、撮影を行う準備処理として、撮影室において制御装置２０から携帯端末１０に撮影オーダ情報を取得させる撮影準備処理について説明する。
【００７０】
図５（ａ）は、制御装置２０のＣＰＵ２１により実行される撮影準備処理を示すフローチャートである。図５（ａ）に示すように、ＣＰＵ２１は、技師により入力部２２を介して撮影オーダ情報の送信指示が入力されると（ステップＳ１）、Ｉ／Ｆ２７を制御して、携帯端末１０が通信端末１０−１に装着されているか否かを判別する（ステップＳ２）。ここで、通信端末１０−１に携帯端末１０が装着されていない場合（ステップＳ２；ＮＯ）、ＣＰＵ１１は、表示部２３にエラー表示を行い、本撮影準備処理を終了する。
【００７１】
一方、通信端末１０−１に携帯端末１０が装着されている場合（ステップＳ２；ＹＥＳ）、ＣＰＵ１１は、記憶装置２６から撮影オーダ情報を取得し、通信端末１０−１を介して撮影オーダ情報を携帯端末１０に送信する（ステップＳ３）。そして、ＣＰＵ１１は、送信済み撮影オーダ情報の送信フラグをＯＮに設定して（ステップＳ４）、本撮影オーダ情報送信処理を終了する。
【００７２】
図５（ｂ）は、携帯端末１０のＣＰＵ１１により実行される撮影準備処理を示すフローチャートである。図５（ｂ）に示すように、携帯端末１０は、撮影オーダ情報を取得するため、通信端末１０−１に装着される（ステップＳ１１）。
【００７３】
次いで、ＣＰＵ１１は、Ｉ／Ｆ１４を制御して、制御装置２０から送信される撮影オーダ情報を受信する（ステップＳ１２）。そして、ＣＰＵ１１は、受信した撮影オーダ情報を記憶装置１６の撮影オーダ情報ファイル１６１に記憶させ（ステップＳ１３）、本撮影オーダ情報取得処理を終了する。
【００７４】
上述した撮影準備処理において、制御装置２０の表示部２３に表示される表示画面について図６〜図８を参照して説明する。
【００７５】
図６は、所望の処理を選択するためのメニュー画面２３１を示す図である。図６に示すように、メニュー画面２３１には、システムメニューとして、「システムの状態」、「技師選択」、「検査履歴」、「ユーティリティ」、「画面形式」、「運用形態」の各メニューを指示する指示釦が設けられている。また、「画面形式」、「運用形態」の指示釦には、入力項目が設けられ、例えば、「運用形態」の入力項目に「ポータブル」を入力して、当該釦を指示すると、ポータブル撮影装置４０にて撮影を行う場合のポータブルモード画面が表示され、以下の処理はポータブルモードにおいて行われる。なお、この「運用形態」の入力項目に「通常」を入力すると、通常の撮影室で撮影を行う場合の通常モード画面が表示され、以下の処理は通常モードにおいて行われる。
【００７６】
図７は、ポータブルモードにおいて、撮影オーダ情報が一覧表示されるポータブルリスト画面２３２を示す図である。図７に示すように、ポータブルリスト画面２３２には、撮影オーダ情報を表示する領域と、各種指示を入力する指示釦を表示する領域とが設けられている。撮影オーダ情報を表示する領域には、撮影オーダ情報の一部として、患者ＩＤ、タブ種別、氏名、性別、生年月日、撮影部位、撮影数、保留を表示する項目が設けられ、各項目には、それぞれ対応するデータが表示されている。
【００７７】
また、ポータブルリスト画面２３２の右端及び下端において、各種指示を入力する指示釦を表示する領域には、選択キーの他、「送信」、「受信」、「新規／検索」、「修正」、「削除」、…、「確認画面」のテキストデータが表示された指示釦が設けられている。この各指示釦が入力部２２を介して操作されることにより、対応する指示が入力される。例えば、ポータブルリスト画面２３２に表示されている撮影オーダ情報が選択キーにより選択され、「送信」指示釦が操作されると、選択された撮影オーダ情報が携帯端末１０に送信される。ここで、撮影オーダ情報が携帯端末１０に送信されると、当該撮影オーダ情報の送信終了フラグがＯＮに設定され、「タブ種別」の項目には、送信済みのチェックフラグ「→」が表示される。また、「新規／検索」指示釦が操作されると、撮影オーダ情報を新規に登録するための入力画面２３３，２３４が表示される。
【００７８】
図８は、上述したポータブルリスト画面２３２において、「新規／検索」指示釦が操作された場合に表示される入力画面２３３，２３４を示す図である。図８（ａ）は、撮影オーダ情報のうち、患者情報を新規に入力するための入力画面２３３を示す図である。図８（ａ）に示すように、入力画面２３２には、患者情報を入力する領域と、文字入力を行うための文字キーを表示する領域とが設けられている。
【００７９】
入力画面２３３の上段に表示される患者情報を入力する領域には、患者ＩＤ、患者氏名（ローマ字、カナ、漢字）、性別、生年月日、コメントを入力する項目が設けられており、入力部２２の操作に応じて入力されたデータが対応する項目に表示される構成となっている。また、入力画面２３３の下段に表示される文字キーを表示する領域においては、当該表示された文字キーに対応するキー入力が入力部２２の備えるマウスやタッチパネルを介して行われる。なお、キー入力は、入力部２２の備えるキーボードを介して行うことも可能である。
【００８０】
図８（ｂ）は、撮影オーダ情報のうち、撮影情報を新規に入力するための入力画面２３４を示す図である。図８（ｂ）に示すように、撮影情報入力画面２３４には、撮影条件として撮影部位を指示する指示釦を表示する領域と、撮影部位における撮影方向を指示する指示釦を表示する領域と、入力された撮影部位及び撮影方向を表示する領域とが設けられている。
【００８１】
入力画面２３４の左側上段に表示される撮影部位の指示釦を表示する領域には、例えば、「頭部」、「頚部」、…、「ＴＥＳＴ」のテキストデータが表示された指示釦が設けられ、各指示釦が入力部２２を介して指示されることにより、対応する撮影部位が選択される。また、入力画面２３４の左側中段に表示される撮影方向の指示釦を表示する領域には網掛け表示が行われ、ポータブルモードでは、選択不可能な構成となっている。すなわち、当該領域に表示される撮影部位は、ポータブル撮影装置４０により、撮影不可能な撮影部位であることを示している。なお、選択不可能な表示方法として、網掛け表示の他に、非表示又は非アクティブ表示とすることも可能である。また、選択不可能な指示釦が指示された場合に、音声や画像により警告を出力する構成であってもよい。
【００８２】
また、入力画面２３４の左側下段に表示される撮影方向の指示釦を表示する領域には、例えば、「胸部  他」の撮影部位における撮影方向として、「斜位」、…、「じん肺」のテキストデータが表示された指示釦が設けられ、各指示釦が入力部２２を介して指示されることにより、対応する撮影方向が選択される。さらに、入力画面２３３の右側に表示される撮影部位及び撮影方向を表示する領域には、上述した指示釦が指示されることにより選択された撮影部位及び撮影方向が、例えば、「胸部  他  斜位」として表示される。
【００８３】
続いて、撮影の開始前に撮影を行う病室において、携帯端末１０により患者ＩＤ及びカセッテＩＤと撮影オーダ情報との対応付けを行う撮影開始処理について説明する。
【００８４】
図９は、携帯端末１０のＣＰＵ１１により実行される撮影開始処理を示すフローチャートである。図９に示すように、ＣＰＵ１１は、バーコードリーダ１７を制御して、患者のベッドサイド又は患者の身体の一部に付帯されたバーコードを読み取り、患者ＩＤを取得する（ステップＳ２１）。次いで、ＣＰＵ１１は、読み取った患者ＩＤに対応する撮影オーダ情報を記憶装置１６から取得する（ステップＳ２２）。
【００８５】
続いて、ＣＰＵ１１は、取得した撮影オーダ情報を表示部１３に表示させるとともに（ステップＳ２３）、バーコードリーダ１７を制御して、カセッテ５０に付帯されたバーコードを読み取り、カセッテＩＤを取得する（ステップＳ２４）。そして、ＣＰＵ１１は、取得したカセッテＩＤを、撮影オーダ情報に対応付けて記憶装置１６に記憶させ（ステップＳ２５）、本撮影開始処理を終了する。
【００８６】
上述した撮影開始処理において、携帯端末１０の表示部１３に表示される表示画面について図１０を参照して説明する。図１０（ａ）は、携帯端末１０に登録された患者を一覧表示する患者リスト画面１３１を示す図である。図１０（ａ）に示すように、患者リスト画面１３１には、患者情報を示す領域が設けられ、この領域には、患者ＩＤ、患者の氏名、病棟を表示する項目が設けられている。具体的に、患者ＩＤの項目には、「０００１」の数字データが表示され、氏名の項目には、「山田  一郎」のテキストデータが表示されている。
【００８７】
図１０（ｂ）は、携帯端末１０のバーコードリーダ１７により、患者ＩＤが取得された場合に、対応する患者の撮影オーダ情報を表示する表示画面１３２を示す図である。図１０（ｂ）に示すように、表示画面１３２には、患者情報を表示する領域と、撮影情報を表示する領域とが設けられている。患者情報を表示する領域には、患者氏名、患者ＩＤ、性別、年齢、病棟、病室を表示する項目が設けられ、各項目には、対応するデータが表示されている。
【００８８】
また、撮影情報を表示する領域には、撮影部位、カセッテＩＤを表示する項目が設けられており、カセッテＩＤの項目には、携帯端末１０のバーコードリーダ１７により取得されたデータが、読み取りと同時に表示される構成となっている。具体的に、撮影部位の項目には、「胸部  他  斜位」のテキストデータが表示され、カセッテＩＤの項目には、「０４０００１０８０２２０１６」の数字データが表示されている。
【００８９】
続いて、本発明に特徴的な処理として、撮影終了後、撮影室において撮影済みの撮影オーダ情報に対応付けられたカセッテＩＤを制御装置２０に送信する撮影終了後処理について説明する。
【００９０】
図１１は、携帯端末１０のＣＰＵ１１により実行される撮影終了後処理を示すフローチャートである。図１１に示すように、ＣＰＵ１１は、通信端末１０−１から出力される検出信号に従って、携帯端末１０が通信端末１０−１に装着されたか否かを判別する（ステップＳ３１）。通信端末１０−１に携帯端末１０が装着された場合（ステップＳ３１；ＹＥＳ）、ＣＰＵ１１は、撮影オーダ情報に対応付けられたカセッテＩＤを記憶装置１６から取得して、制御装置２０に送信する（ステップＳ３２）。
【００９１】
ここで、制御装置２０から携帯端末１０に送信される撮影オーダ情報には、撮影オーダ情報に対応付けられたカセッテＩＤの送信先（例えば、ネットワーク上のコンピュータ（制御装置等）を識別するためのＩＰアドレス等）を含むことが好ましい。すなわち、通信端末１０−１は、ネットワークＮに接続される複数の制御装置２０に対して任意に情報が送信可能であるため、通信端末１０−１への装着を検出した携帯端末１０のＣＰＵ１１は、撮影オーダ情報から情報の送信先を取得し、取得した送信先に対応する制御装置２０に撮影オーダ情報及びカセッテＩＤを送信する。
【００９２】
なお、携帯端末１０は、撮影準備処理において、撮影オーダ情報を受信した制御装置２０の識別情報を記憶しておき、制御装置２０から受信した撮影オーダ情報に送信先が含まれていない場合、当該撮影オーダ情報を受信した制御装置２０に、撮影オーダ情報及びカセッテＩＤを送信する構成であってもよい。或いは、携帯端末１０の操作部１２から送信先を入力し、当該指定された送信先に必要な情報を送信する構成であってもよい。
【００９３】
次いで、ＣＰＵ１１は、カセッテＩＤを送信した撮影オーダ情報について、送信終了フラグをＯＮに設定する（ステップＳ３３）。また、ＣＰＵ１１は、撮影オーダ情報ファイル１６１に記憶されている撮影オーダ情報のうち、未送信の撮影オーダ情報があるか否かを判別する（ステップＳ３４）。未送信の撮影オーダ情報がある場合（ステップＳ３４；ＹＥＳ）、ＣＰＵ１１は、ステップＳ３２に移行して、上述した処理を繰り返して実行する。一方、撮影オーダ情報ファイル１６１に記憶される全ての撮影オーダ情報について、撮影オーダ情報及びカセッテＩＤを送信した場合（ステップＳ３４；ＮＯ）、ＣＰＵ１１は、本撮影終了後処理を終了する。
【００９４】
図１２は、制御装置２０のＣＰＵ２１により実行される撮影終了後処理を示すフローチャートである。図１２に示すように、ＣＰＵ２１は、通信端末１０−１を介して、携帯端末１０から撮影オーダ情報に対応付けられたカセッテＩＤを受信すると（ステップＳ４１）、設定モードをポータブルモードに設定する。なお、ポータブルモードの設定は、入力部２２から入力される指示に応じて設定されてもよい。
【００９５】
次いで、ＣＰＵ２１は、受信したカセッテＩＤを撮影オーダ情報ファイル２６１の撮影オーダ情報に対応付けて記憶させ（ステップＳ４２）、カセッテＩＤを受信した撮影オーダ情報について、受信終了フラグをＯＮに設定する（ステップＳ４３）。続いて、ＣＰＵ２１は、撮影オーダ情報とカセッテＩＤを対応付けて情報管理装置６０に送信する（ステップＳ４４）。
【００９６】
さらに、ＣＰＵ２１は、医用画像読取装置３０から医用画像及びカセッテＩＤを受信したか否かを判別し（ステップＳ４５）、医用画像及びカセッテＩＤを受信した場合（ステップＳ４５；ＹＥＳ）、カセッテＩＤに基づいて、撮影オーダ情報と医用画像を対応付けて記憶装置２６に記憶する（ステップＳ４６）。次いで、ＣＰＵ２１は、携帯端末１０から受信した撮影オーダ情報に対応付けられた医用画像をポータブルモードにて表示部２３に表示し（ステップＳ４７）、本撮影終了後処理を終了する。
【００９７】
次に、図１３を参照して、制御装置２０の表示部２３に表示される医用画像について説明をする。図１３は、携帯端末１０を利用して撮影を行った場合に、表示部２３に表示されるポータブル処理画面２３６を示す図である。図１３に示すように、ポータブル処理画面２３６には、同一の携帯端末１０に登録された複数の患者の医用画像が同一画面に表示される構成となっている。
【００９８】
すなわち、ポータブル処理画面２３６には、技師情報を表示する領域と、患者毎に患者情報、医用画像及び撮影情報を表示する領域とが設けられ、同一画面には、４種類の医用画像が表示可能な構成となっている。具体的に、ポータブル処理画面２３５の左上端の技師情報を表示する領域には、技師の氏名として「スズキタロウ」のテキストデータを表示する項目が設けられている。また、患者毎に表示される医用画像として、左端に表示されている医用画像について説明すると、患者情報を表示する領域には、患者ＩＤとして「０００１」の数字データを表示する項目と、氏名として「山田  一郎」のテキストデータを表示する項目とが設けられている。
【００９９】
その下部には、医用画像を表示する領域が設けられ、医用画像と、読取装置ＩＤとして「１７０」の数字データを表示する項目と、解像度として「通常」のテキストデータを表示する項目とが設けられている。さらに、その下部には、撮影情報を表示する領域が設けられ、撮影部位として「胸部  他  斜位」のテキストデータを表示する項目と、カセッテＩＤとして「０１０００１０８０２２０１６」の数字データを表示する項目が設けられている。
【０１００】
なお、制御装置２０は、携帯端末１０から撮影オーダ情報及びカセッテＩＤを受信しない場合、通常モードを設定し、撮影室で撮影された医用画像の表示を行う。ここで、通常モードにより、医用画像が表示される場合は、上述した従来の画像処理画面２３６（図１４参照）と同一の画像処理画面が表示部２３に表示される。すなわち、撮影室において撮影された医用画像は、一患者の撮影が終了する毎に医用画像を表示させることができるため、撮影された患者毎に医用画像が表示される構成となっている。
【０１０１】
以上のように、本実施の形態の医用画像撮影システム１００によれば、撮影終了後、携帯端末１０は、撮影オーダ情報ファイル１６１に記憶した撮影オーダ情報及びカセッテＩＤを制御装置２０に送信する。制御装置２０は、撮影オーダ情報に対応付けて受信したカセッテＩＤ受信すると、ポータブルモードを設定するとともに、受信したカセッテＩＤを撮影オーダ情報に対応付けて記憶する。また、制御装置２０は、医用画像読取装置３０から医用画像とカセッテＩＤを受信し、カセッテＩＤに基づいて撮影オーダ情報と医用画像との対応付けを行う。そして、制御装置２０は、同一の携帯端末１０から受信した複数の撮影オーダ情報に対応する医用画像を複数の患者に跨って表示部２３に表示させる。
【０１０２】
したがって、回診先において複数の患者の医用画像を撮影した場合に、同一の携帯端末１０に記憶させた撮影オーダ情報に対応付けられる医用画像については、同時に表示させることができるため、複数の患者毎に操作を行う必要がなく、医用画像を表示させる作業に係る手間を省いて操作性を向上させることができる。また、制御装置２０は、携帯端末１０から撮影オーダ情報及びカセッテＩＤを受信すると、自動でポータブルモードを設定して、携帯端末１０から受信した撮影オーダ情報に対応する医用画像をポータブルモードにて表示させるため、技師は、モード設定の手間を省くことができ、利便性が良い。
【０１０３】
さらに、本実施の形態においては、通常の撮影室で撮影された医用画像については、通常モードにより、患者毎に医用画像を表示する画像処理画面２３６（図１４参照）を表示させ、ポータブル撮影装置４０により回診先で撮影された医用画像については、ポータブルモードにより、複数の患者に跨って医用画像を表示する画像処理画面２３５（図１３参照）を表示する。これにより、技師は、表示画面の構成に基づいて、表示されている医用画像が撮影室にて撮影されたものか、ポータブル撮影装置４０により撮影されたものかを明確に認識しながら画像処理の操作を行うことができ、操作性がよい。また、撮影形態に応じて好適に医用画像を表示させることができるため、効率よく医用画像を表示して、画像処理を行うことができる。
【０１０４】
なお、上述した本実施の形態における記述は、本発明に係る好適な医用画像撮影システム及び医用画像管理方法の一例であり、これに限定されるものではない。
【０１０５】
例えば、上述した医用画像撮影システム１００のシステム構成は一例であり、これに限定されるものではない。図１４に示す医用画像撮影システム２００のように、携帯端末１０と、制御装置２０との通信を制御する通信端末１０−１は、制御装置２０に直接接続される構成であってもよい。この構成によれば、システム変更が必要になった場合、システム変更の自由度が高く、再構築が容易である。例えば、既存の医用画像撮影システムに携帯端末１０を導入する場合に、携帯端末１０と制御装置２０とのシステムを変更するだけで良く、システム導入の際に係るコスト及び手間を省くことができる。また、システムのバージョンアップ等にも速やかに対応することができ、利便性がよい。さらに、携帯端末１０と制御装置２０が直接的に接続されることにより、情報の漏洩を防いで、セキュリティの高い通信を行うことができる。
【０１０６】
また、上述した表示画面の構成は一例であり、これに限定されるものではない。例えば、画像処理画面には、４種類の医用画像を表示可能な構成として説明を行ったが、４種類以上の医用画像を表示可能な構成であっても良く、それ以下であってもよい。或いは、同一の携帯端末１０から受信した撮影オーダ情報に対応する全ての医用画像を同一の表示画面に表示する構成であってもよい。この場合、表示部２３に全ての医用画像を表示するため、サムネール等の縮小画像を表示する構成であってもよい。
【０１０７】
これにより、回診先において撮影された全ての医用画像を同時に確認することできるため、医用画像の見落とし、撮影オーダ情報の受信ミス、撮影忘れ等を防止することができる。また、ポータブルモードにおいて、医用画像の縮小画像が表示されるため、画面構成から的確に撮影形態を認識することができ、技師は、現在行っているワークフローを常に認識しながら、適切な処理を行うことができる。さらに、サムネール等により表示されている医用画像を操作することにより、拡大された医用画像を表示させる構成としてもよく、速やかに詳細な医用画像を表示させ、視認性を向上することができる。
【０１０８】
また、制御装置２０において、通常モード又はポータブルモードは、携帯端末１０からの撮影オーダ情報の受信の有無に応じて、自動で設定される場合を例として説明を行ったが、例えば、技師により、メニュー画面を介して各モードが設定される構成であってもよい。
【０１０９】
また、撮影オーダ情報に対応付けられて送信されるカセッテＩＤは、撮影オーダ情報との対応関係が明確であればよい。すなわち、撮影オーダ情報とともにカセッテＩＤが送信される構成であっても良く、撮影オーダ情報に一義的に割り当てられる撮影ＩＤとともにカセッテＩＤが送信される構成であってもよい。
【０１１０】
その他、本実施の形態における医用画像撮影システム１００の各構成要素の細部構成、及び細部動作に関しては、本発明の趣旨を逸脱することのない範囲で適宜変更可能であることは勿論である。
【０１１１】
【発明の効果】
請求項１又は９記載の発明によれば、同一の携帯端末に記憶された撮影オーダ情報に対応する医用画像が同一画面に表示されるため、例えば、携帯端末を利用して回診先で医用画像の撮影を行った場合に、同一の回診で撮影された医用画像を同一画面に表示させることができる。これにより、技師は、撮影を行った医用画像の画像処理を速やかに行うことができる。
【０１１２】
請求項２又は１０記載の発明によれば、回診先において、複数の患者に跨って撮影を行った場合であっても、複数の患者に跨って、医用画像を同一画面に表示させることができるため、複数の患者毎に医用画像を表示させる手間を必要とせず、処理効率を向上させることができる。
【０１１３】
請求項３又は１１記載の発明によれば、撮影形態に応じて好適な表示態様により、医用画像を表示させることができるため、業務効率を向上させることができる。
【０１１４】
請求項４又は１２記載の発明によれば、例えば、通常の撮影室で撮影が行われる場合、患者毎に撮影を行い、患者毎に医用画像を同一画面に表示させることができる。このため、同一患者について相対的に医用画像を比較して画像処理を行うことができ、利便性が良い。また、例えば、回診先で撮影が行われる場合、同一の回診において利用された携帯端末に記憶されている撮影オーダ情報に対応する医用画像を、複数の患者に跨って同一画面に表示させることができるため、操作性が良い。さらに、医用画像の表示形態に応じて、撮影形態を認識することができるため、技師は、表示されている医用画像が撮影室において撮影されたものか、回診先において撮影されたものかを明確に認識しながら画像処理の操作を行うことができ、操作性がよい。
【０１１５】
請求項５又は１３記載の発明によれば、携帯端末から撮影オーダ情報とカセッテの識別情報を受信すると、制御装置は、ポータブルモードを設定して、ポータブルモードに応じた表示態様により、医用画像の表示を行う。これにより、技師は、モードの設定を行う手間が省け、撮影形態に応じた好適な態様にて医用画像を表示させることができるため、利便性が良い。
【０１１６】
請求項６又は１４記載の発明によれば、医用画像の表示形態に応じて、撮影形態を認識することができるため、技師は、表示されている医用画像が撮影室において撮影されたものか、回診先において撮影されたものかを明確に認識しながら画像処理の操作を行うことができ、操作性がよい。
【０１１７】
請求項７又は１５記載の発明によれば、回診先において撮影された全ての医用画像を同時に確認することできるため、医用画像の見落とし、撮影オーダ情報の受信ミス、撮影忘れ等を防止することができる。
【０１１８】
請求項８又は１６記載の発明によれば、携帯端末からの撮影オーダ情報の受信の有無に応じて、モード設定手段により、好適なモードが設定されるため、技師は、モードを設定する手間が省け、容易かつ速やかに医用画像を表示させることができる。
【図面の簡単な説明】
【図１】本発明を適用した実施の形態における医用画像撮影システム１００のシステム構成を示す図である。
【図２】図１に示す携帯端末１０の要部構成を示すブロック図である。
【図３】図２の記憶装置１６に記憶される撮影オーダ情報ファイル１６１のデータ構成を示す図である。
【図４】図１に示す制御装置２０の要部構成を示すブロック図である。
【図５】（ａ）制御装置２０のＣＰＵ２１により実行される撮影準備処理を示すフローチャートである。
（ｂ）携帯端末１０のＣＰＵ１１により実行される撮影準備処理を示すフローチャートである。
【図６】制御装置２０の表示部２３に表示されるメニュー画面の一例を示す図である。
【図７】制御装置２０の表示部２３に表示されるポータブルリスト画面の一例を示す図である。
【図８】（ａ）制御装置２０の表示部２３に表示される患者情報を入力するための入力画面の一例を示す図である。
（ｂ）制御装置２０の表示部２３に表示される撮影情報を入力するための入力画面の一例を示す図である。
【図９】携帯端末１０のＣＰＵ１１により実行される撮影開始処理を示すフローチャートである。
【図１０】（ａ）携帯端末１０の表示部１３に表示される患者リスト画面の一例を示す図である。
（ｂ）携帯端末１０の表示部１３に表示される表示画面の一例を示す図である。
【図１１】携帯端末１０のＣＰＵ１１により実行される撮影終了後処理を示すフローチャートである。
【図１２】制御装置２０のＣＰＵ２１により実行される撮影終了後処理を示すフローチャートである。
【図１３】制御装置２０の表示部２３に表示されるポータブルモードにおける画像処理画面の一例を示す図である。
【図１４】制御装置２０の表示部２３に表示される通常モードにおける画像処理画面の一例を示す図である。
【図１５】本発明を適用した他の形態における医用画像撮影システム２００のシステム構成を示す図である。
【符号の説明】
１００，２００    医用画像撮影システム
１０  携帯端末
１１    ＣＰＵ
１２    操作部
１３    表示部
１４    Ｉ／Ｆ
１５    ＲＡＭ
１６    記憶装置
１７    バーコードリーダ
１８    バス
２０  制御装置
２１    ＣＰＵ
２２    入力部
２３    表示部
２４    通信制御部
２５    ＲＡＭ
２６    記憶装置
２７    Ｉ／Ｆ
２８    バス
３０  医用画像読取装置
４０  ポータブル撮影装置
５０  カセッテ
６０  情報管理装置
Ｎ    ネットワーク
【図１】
2004290319.tif 000003
【図２】
2004290319.tif 000004
【図３】
2004290319.tif 000005
【図４】
2004290319.tif 000006
【図５】
2004290319.tif 000007
【図６】
2004290319.tif 000008
【図７】
2004290319.tif 000009
【図８】
2004290319.tif 000010
【図９】
2004290319.tif 000011
【図１０】
2004290319.tif 000012
【図１１】
2004290319.tif 000013
【図１２】
2004290319.tif 000014
【図１３】
2004290319.tif 000015
【図１４】
2004290319.tif 000016
【図１５】
2004290319.tif 000017